【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
トラックピッチの異なる少なくとも２つ以上の領域をもつ情報担体の第１及び第２の領域に情報を記録する、あるいは記録されている情報を再生する光ディスク装置であって、
前記情報担体に向けて光ビームを収束、照射する収束手段と、
前記収束手段により収束された光ビームの収束点を情報担体の径方向に移動する移動手段と、
前記情報担体の情報面より反射された光ビームを受光する受光手段と、
前記受光手段からの信号に基づき、光ビームの収束点とトラックとの位置ずれを検出するトラックずれ検出手段と、
前記トラックずれ検出手段からの信号に基づき、前記移動手段を駆動し、光ビームの収束点がトラック上を走査するように制御するトラッキング制御手段と、
トラッキング制御手段のループゲインであって、前記第１の領域のトラッキング制御に用いられる第１ループゲインを調整するループゲイン調整手段と、
前記ループゲイン調整手段によって求めた前記第１の領域の前記第１ループゲインに基づき、前記第２の領域のトラッキング制御に用いられる第２ループゲインを推定するループゲイン推定手段と、
を備え、
前記ループゲイン推定手段は、前記第１の領域におけるトラックピッチと前記第２の領域におけるトラックピッチとの比をあらかじめ所定値として格納しておく格納手段を有し、
前記第１の領域の前記第１ループゲインと、前記格納手段に格納された前記所定値とに基づいて、前記第２の領域の前記第２ループゲインを推定する、
光ディスク装置。
【請求項２】
前記光ビームの収束点が、前記第１の領域および前記第２の領域のうちいずれの領域に位置しているのかを判定する領域判定手段、
をさらに備え、
前記領域判定手段による判定結果に応じて、前記トラッキング制御手段のループゲインが切り換えられることを特徴とする、
請求項１に記載の光ディスク装置。
【請求項３】
前記領域判定手段は、前記トラックずれ検出手段で検出される信号の振幅の変化によって、前記光ビームの収束点の位置している領域を判定することを特徴とする、
請求項２に記載の光ディスク装置。
【請求項４】
光ビームの収束点を、所望するトラックへ移動させるトラック検索手段、
をさらに備え、
前記領域判定手段は、前記トラック検索手段によって前記光ビームの収束点がトラックを横切って移動している時に、前記光ビームの収束点が位置している領域を判定することを特徴とする、
請求項２または３に記載の光ディスク装置。
【請求項５】
前記情報担体上の前記第１の領域は、トラックの形状の変化を用いてあらかじめ所定の情報が記録してある領域であり、
前記所定の情報は、前記光ビームの収束点が前記第２の領域へ移動する前に再生されることを特徴とする、
請求項１〜３のいずれかに記載の光ディスク装置。
【請求項６】
前記情報担体上の前記第２の領域は、情報の記録あるいは再生が行われる領域であることを特徴とする、
請求項１〜３のいずれかに記載の光ディスク装置。
【請求項７】
少なくとも２つ以上の領域をもつ情報担体の第１及び第２の領域に情報を記録する、あるいは記録されている情報を再生する光ディスク装置において、それぞれの領域のトラッキング制御に用いられるループゲインを設定するループゲイン設定方法であって、
前記第１の領域のトラッキング制御に用いられる第１ループゲインを調整するループゲイン調整ステップと、
前記ループゲイン調整ステップによって求めた前記第１の領域の前記第１ループゲインに基づき、前記第２の領域のトラッキング制御に用いられる第２ループゲインを推定するループゲイン推定ステップと、
を備え、
前記ループゲイン推定ステップは、前記第１の領域におけるトラックピッチと前記第２の領域におけるトラックピッチとの比をあらかじめ所定値として格納しておく格納ステップを有し、
前記第１の領域の前記第１ループゲインと、前記格納ステップで格納された前記所定値とに基づいて、前記第２の領域の前記第２ループゲインを推定する、
ループゲイン設定方法。
【請求項８】
少なくとも２つ以上の領域をもつ情報担体の第１及び第２の領域に情報を記録する、あるいは記録されている情報を再生する光ディスク装置において、それぞれの領域のトラッキング制御に用いられるループゲインを設定するループゲイン設定方法をコンピュータに対して行わせるループゲイン設定プログラムであって、
前記ループゲイン設定方法は、
前記第１の領域のトラッキング制御に用いられる第１ループゲインを調整するループゲイン調整ステップと、
前記ゲイン調整ステップによって求めた前記第１の領域の前記第１ループゲインに基づき、前記第２の領域のトラッキング制御に用いられる第２ループゲインを推定するループゲイン推定ステップと、
を備え、
前記ループゲイン推定ステップは、前記第１の領域におけるトラックピッチと前記第２の領域におけるトラックピッチとの比をあらかじめ所定値として格納しておく格納ステップを有し、
前記第１の領域の前記第１ループゲインと、前記格納ステップで格納された前記所定値とに基づいて、前記第２の領域の前記第２ループゲインを推定する、
ループゲイン設定プログラム。
【手続補正２】
【補正対象書類名】明細書
【補正対象項目名】００３１
【補正方法】変更
【補正の内容】
【００３１】
本発明の光ディスク装置は、トラックピッチの異なる少なくとも２つ以上の領域をもつ情報担体の第１及び第２の領域に情報を記録する、あるいは記録されている情報を再生する光ディスク装置であって、収束手段と、移動手段と、受光手段と、トラックずれ検出手段と、トラッキング制御手段と、ループゲイン調整手段と、ループゲイン推定手段とを備えている。収束手段は、情報担体に向けて光ビームを収束、照射する。移動手段は、収束手段により収束された光ビームの収束点を情報担体径方向に移動する。受光手段は、情報担体の情報面より反射された光ビームを受光する。トラックずれ検出手段は、受光手段からの信号に基づき、光ビームの収束点とトラックとの位置ずれを検出する。トラッキング制御手段は、トラックずれ検出手段からの信号に基づき、移動手段を駆動し、光ビームの収束点がトラック上を走査するように制御する。ループゲイン調整手段は、トラッキング制御手段のループゲインであって、第１の領域のトラッキング制御に用いられる第１ループゲインを調整する。ループゲイン推定手段は、ゲイン調整手段によって求めた第１の領域の第１ループゲインに基づき、第２の領域のトラッキング制御に用いられる第２ループゲインを推定する。そして、ループゲイン推定手段は、第１の領域におけるトラックピッチと第２の領域におけるトラックピッチとの比をあらかじめ所定値として格納しておく格納手段を有し、第１の領域の第１ループゲインと、格納手段に格納された所定値とに基づいて、第２の領域の第２ループゲインを推定する。
【手続補正３】
【補正対象書類名】明細書
【補正対象項目名】００４０
【補正方法】変更
【補正の内容】
【００４０】
本発明のループゲイン設定方法は、少なくとも２つ以上の領域をもつ情報担体の第１及び第２の領域に情報を記録する、あるいは記録されている情報を再生する光ディスク装置において、それぞれの領域のトラッキング制御に用いられるループゲインを設定するループゲイン設定方法であって、ループゲイン調整ステップと、ループゲイン推定ステップとを備えている。ループゲイン調整ステップは、第１の領域のトラッキング制御に用いられる第１ループゲインを調整する。ループゲイン推定ステップは、ゲイン調整ステップによって求めた第１の領域の第１ループゲインに基づき、第２の領域のトラッキング制御に用いられる第２ループゲインを推定する。そして、ループゲイン推定ステップは、第１の領域におけるトラックピッチと第２の領域におけるトラックピッチとの比をあらかじめ所定値として格納しておく格納ステップを有し、第１の領域の第１ループゲインと、格納ステップで格納された所定値とに基づいて、第２の領域の第２ループゲインを推定する。
【手続補正４】
【補正対象書類名】明細書
【補正対象項目名】００４１
【補正方法】変更
【補正の内容】
【００４１】
本発明のループゲイン設定方法により、領域１、領域２のいずれの領域においても最適なトラッキング制御ループゲインの設定が可能となる。また付随的な効果として、トラックピッチの異なる領域１、領域２のいずれの領域においてもトラッキング制御の安定性が確保されるため、再生記録の信頼性を向上できる。
本発明のループゲイン設定プログラムは、少なくとも２つ以上の領域をもつ情報担体の第１及び第２の領域に情報を記録する、あるいは記録されている情報を再生する光ディスク装置において、それぞれの領域のトラッキング制御に用いられるループゲインを設定するループゲイン設定方法をコンピュータに対して行わせるループゲイン設定プログラムである。ループゲイン設定方法は、ループゲイン調整ステップと、ループゲイン推定ステップとを備えている。ループゲイン調整ステップは、第１の領域のトラッキング制御に用いられる第１ループゲインを調整する。ループゲイン推定ステップは、ゲイン調整ステップによって求めた第１の領域の第１ループゲインに基づき、第２の領域のトラッキング制御に用いられる第２ループゲインを推定する。そして、ループゲイン推定ステップは、第１の領域におけるトラックピッチと第２の領域におけるトラックピッチとの比をあらかじめ所定値として格納しておく格納ステップを有し、第１の領域の第１ループゲインと、格納ステップで格納された所定値とに基づいて、第２の領域の第２ループゲインを推定する。